(57)【要約】      （修正有）【課題】安全で低価格の階段昇降装置の提供。【解決手段】クレーンタイプの吊り綱式階段昇降装置は、階下の上部天井の支持点１００Ｐから、腰掛１１５を結束した吊り綱１１０を吊り下げる。吊り綱１１０の縦横の長さ比を変えると、腰掛１１５の高さは変わり昇降移動をする。吊り綱１１０の長さは支持点から床面迄の垂直距離を基準にする。多様な形状の階段に対応するリフトタイプの吊り綱式階段昇降装置は、階段１０５の勾配に対応した二本の軌道１２０を設ける。腰掛１１５を吊り下げた台車が軌道上を移動する。軌道のカーブで方向転換する方法は、カーブでは軌道が回転機構となっている。この階段昇降装置の販売にフランチャイズ・システムを導入した。【選択図】図１
2005306601.tif 000002
【特許請求の範囲】
【請求項１】
本発明は、腰掛を吊り下げたクレーンタイプの吊り綱式階段昇降装置です。
階段の天井空間に装置の移動車を移動する二本の軌道を設ける。
階下側天井の支持点から吊り下げた、前二本後二本計四本の吊り綱端に腰掛を結束する。
前後左右四つのスライド車が、四本の吊り綱をスライドしながら移動して、吊り綱の縦横の長さ比を変えると、腰掛の位置も昇降移動をする。
移動者の不安解消の為に、腰掛揺れ止め装置を設ける。
スライド車を移動する四つの移動車は、階上側に設置した引き綱電動巻取り装置の、引き綱の巻き取りと巻き戻しによって、軌道上を前後に移動する。
引き綱電動巻き取り装置の電動機は、正転逆転作動をする。
安全で低価格の、クレーンタイプ吊り綱式階段昇降装置を提供する。
【請求項２】
本発明は、多様な形状の階段に対応するリフトタイプ吊り綱式階段昇降装置です。
階段の上部空間に、階段の形状に対応した台車移動用の二本の軌道を設ける。
左右二つの台車を結合する車軸に、四本の吊り綱を吊り下げ、吊り綱端に移動者用の腰掛を結束する。
軌道上の台車移動は、階上側に設置した引き綱電動巻取り装置の引き綱の索引で行う。
台車が軌道上を移動すると、腰掛は軌道の勾配に従って移動する。
移動者の不安解消の為に、腰掛揺れ止め装置を設ける。
階段の形状は多様である、階段の途中で天井の高さが変るもの、階段が途中で方向が変るもの、階段全体が旋回型等々。
本発明の、リフトタイプの階段昇降装置は、多様な階段の形状に対応して、確実に移動昇降をする。
台車が移動して軌道のカーブに来ると、台車を自動的に回転機構に乗せ、引き綱を索引して回転機構を旋回し、自動的に続く軌道に台車を乗せ替える。
回転機構が回転する時は自動的に台車固定の施錠、台車を軌道に移す時は自動解錠する。
多様な階段の形状に対応する安全で低価格の、リフトタイプ吊り綱式階段昇降装置を提供する。
【請求項３】
クレーンタイプ吊り綱式に、人体を吊り下げる入浴用の装置が有るが階段昇降用ではない。
リフトタイプでは殆んどが屋外用で、屋内の階段昇降用の装置は見当たらない。
本発明は、生活形態の変化とニーズを先取りして、クレーンタイプとリフトタイプの２種類の、吊り綱式階段昇降装置を提供する。
本発明の階段昇降装置の販売にフランチャイズ・システムを導入したエンセンテブは、起業当初の小資本の販売対策を短時間に広範囲に普及する事と、意欲的なフランチャイジーを確保する為です。
本フランチャイズ・システムは、中小小売商業振興法の特定連鎖化事業に基づいたものです。
本発明の階段昇降装置は、オーダーメード商品です。
多様な形状の階段にマッチする昇降装置を選定する為に、フランチャイザーのコンピューターに、フランチャイザーとフランチャイジー双方が情報アクセスして、強度計算書、構造設計図、見積書等のソフトを作成する、このシステムとプロセスを基にビジネス・モデルを構築する。
【発明の詳細な説明】
【技術分野】
【０００１】
昇降装置の構造と機能、フランチャイズ、ビジネスモデルに関わる。
【背景技術】
【０００２】
高齢者や足腰の不自由な人が多い、家庭で階段の昇降に難儀する人が多い。
高齢者の家庭では荷物の上げ下ろしに難儀している。
【０００３】
車椅子の昇降にはエレベータに代る装置は見当らない。
移動者の乗せた車椅子は重さが１００キログラムをオーバーする、これを階段昇降する事は介護者側に大きな負担となっている。
【０００４】
エレベータや市販のエスカレータは、高価格の為に一般家庭の利用は少ない。
今後も多く普及するとは考えられない。
【発明の開示】
【発明が解決しようとする課題】
【０００５】
安全で低価格の階段昇降装置の提供。
【課題を解決するための手段】
【０００６】
本発明は課題解決の為に、クレーンタイプ吊り綱式階段装置と、リフトタイプ吊り綱階段昇降装置を提供する。
【０００７】
クレーンタイプは、腰掛を結束した吊り綱の縦横の長さ調節で、腰掛を昇降移動する方法である、吊り綱は四本である。
【０００８】
クレーンタイプで機能する吊り綱は、勾配が４５度の通常階段の場合、階下天井に設けた吊り綱支持点から、真下の床面定位置までの垂直距離は、
支持点から吊り綱を横引きして、二階の天井から二階床面に吊り綱を垂直に下ろした合計距離と同じとなる。
【０００９】
吊り綱の縦横の長さ比は、軌道を移動するスライド車のスライド（押し寄せる）に依って変える。
【００１０】
二階側の天井上部に、引き綱電動巻取り装置を設ける。
引き綱の巻取りはスライド車を移動する移動車を索引する。
【００１１】
リフトタイプ吊り綱階段昇降装置では、階段の上部空間に台車が移動する軌道を設ける、
台車から四本の吊り綱を下げ、吊り綱端に移動者用の腰掛を結束する。
【００１２】
台車が軌道を移動してカーブに達すると、台車を自動的に回転機構に載せる、回転機構は引き綱の索引で旋回し、自動的に続く軌道に台車を乗せ替える。
【００１３】
リフトタイプ吊り綱式階段昇降装置の台車の移動、カーブの回転機構の働きは、総て引き綱の索引で行う。
引き綱の電動巻き取り装置は、二階側の天井近くに設置する。
【００１４】
クレーンタイプとリフトタイプの引き綱巻き取り装置の電動機は、上昇時正転、下降時逆転作動とする。
【００１５】
移動者の不安解消の為に、腰掛揺れ止め装置を設ける。
【００１６】
移動者用の腰掛位置は低くする、腰掛は後向きに移動する。
【００１７】
本発明の階段昇降装置販売の為にフランチャイズ・システムを導入するエンセンテブは、起業当初の小資本の販売対策を、短時間に広範囲に拡大する事と、意欲的なフランチャイジー確保の為です。
【００１８】
本システムは、本発明の吊り綱式階段昇降装置の事業内容と、フランチャイズ加盟の条件を、インターネットのホームページに掲載して、加盟者を募集する。
【００１９】
加盟申込者の適質を充分に調査し、フランチャイジーとして業務契約をする。
【００２０】
本部フランチャイザーは、フランチャイジーに対してレクチャーを重ねて、階段昇降装置に対する認識の向上を図る。
【００２１】
本部フランチャイザーは、インターネット上に、本発明の情報を掲載する。
フランチャイジーは、パスワードで情報を閲覧出来る。
【００２２】
本発明の昇降装置はオーダーメイド商品である。
多様な形状の階段にマッチした昇降装置を選定する為に、本部フランチャイザーのコンピューターで、フランチャイザーとフランチャイジー双方は情報アクセスして強度計算書、構造設計書、見積書等のソフトを作成する。
このシステムとプロセスを基にビジネスモデルを構築する。
【発明の効果】
【００２３】
本発明は、生活形態の変化とニーズを先取りして、安全で低価格の、吊り綱式階段昇降装置を提供する。
【００２４】
本発明の吊り綱式階段昇降装置は、高齢者や身体弱者の利用が目的である。
身体障害者を車椅子に乗せて昇降できるから、介護者の負担軽減となる。
【００２５】
一般家庭には、荷物の上げ下ろし用の設備が殆んど無い、
最近はメーカーや工場も配置人員が少なくなったから、荷物の上げ下ろしに役立つ。
【００２６】
本発明のリフトタイプの階段昇降装置を、高低差やカーブの多い通路に設置すると、
高齢者の歩行や車椅子の移動を介助出来る、歩行者の荷物運びにも役立つ。
装置は往復移動で自己完結となるから、往復移動を連続して出来る。
【００２７】
本発明の階段昇降装置はオーダーメイド商品である。
フランチャイズ・システムを活用して、多数のオーダーメイドに対応出来るビジネス・モデルを構築する。
【発明を実施するための最良の形態】
【００２８】
安全で低価格の階段昇降装置を実現した。
【実施例１】
【００２９】
クレーンタイプの吊り綱式階段昇降装置です
本発明を図面に従って説明します。
図１は、勾配が４５度程度の通常階段に適した、クレーンタイプ吊り綱式階段昇降装置の側面図です。
【００３０】
図１では、スライド車１３２ａ〜ｄが移動して、支持点１００Ｐから吊り下げた吊り綱１１０ａ〜ｄの縦と横の長さ比を変える。
支持点１００Ｐからの吊り綱１１０ａ〜ｄを、横に長くとると縦を短くなり、腰掛１１５ａの位置は高くなって階下から階上に。
吊り綱１１０ａ〜ｄの横を短くすると縦は長くなり、腰掛１１５ａの位置は低くなって階上から階下に移動する状態の説明図。
ＵＫ図は、腰掛１１５の揺れ止め装置の説明図です。
【００３１】
図２は、クレーンタイプ吊り綱式階段昇降装置の平面図です。
スライド装置１３０Ａが軌道１２０Ａ、Ｂ上を、前後左右四つの移動車１３３ａ〜ｄで移動する時の、装置全体の平面図です。
【００３２】
図２では、引き綱電動巻取り装置の電動機１５０が正転して、引き綱巻き取り機１５０Ｖを作動すると、移動車１３３ａ〜ｄが引き綱１４０Ａに引かれて移動して、スライド車１３０Ａが移動すると、腰掛１１５ａは上昇し、巻き取り機１５０Ｗは連動して巻取りを緩める。
【００３３】
図２では、電動機１５０が巻き取り機１５０Ｗを逆転作動すると、引き綱１４０Ａが引き綱のコーナー滑車１４０Ｃを回って、スライド装置１３０Ａを支持点側１００Ｐ方向に索引し、腰掛け１１５ａは下降をする。
巻き取り機１５０Ｖは連動して巻取りを緩める。
【００３４】
図３は、クレーンタイプ吊り綱式階段昇降装置のスライド装置１３０ＡのＸ―Ｘ断面図です。
軌道１２０Ａ、Ｂ上のスライド装置１３０Ａの移動車１３３ａｂは、スライド車１３２ａｂと車軸１３１ａで結合する。
車軸１３１ａの真中部分には、引き綱１４０Ａを索引すると車軸１３１ａで移動車１３３ａｂの回転が起こる。
索引金物１４０Ｍを装着する。
【００３５】
図３では、スライド車１３２ａｂを吊り綱１１０ａｂが上から巻いて前方で垂れてるのが見える。
【００３６】
図４はクレーンタイプ吊り綱式階段昇降装置のＹ−Ｙ断面図です。
巻き取り機１５０Ｖが正転して引き綱１４０Ａを巻き取ると、引き綱１４０Ａは索引金物１４０Ｍを索引し車軸１３１ａを回転させて、移動車１３３ａｂを移動し、スライド車１３２ａｂも移動する。
【００３７】
図４では、引き綱１４０Ｍを索引してスライド装置１３０Ａが移動すると、スライド車１３２ａｂは吊り綱１１０ａｂをスライド（押して）しながら移動する。
吊り綱１１０ａｂは、スライド車１３２の外周を四分の１巻きし、スライド（押されて）されて、縦と横の長さ比を変える。
吊り綱１１０ａｂの縦横の長さ比が変ると、腰掛１１５ａの位置が変わる。
以上が、クレーンタイプの吊り綱式階段昇降装置の機能です。
【００３８】
クレーンタイプの吊り綱式階段昇降装置の付帯事項
勾配が鈍角な階段では、軌道１２０ＡＢを支持点１００Ｐから見て先下がりに、
勾配が鋭角の階段では、軌道１２０ＡＢを支持点１００Ｐから見て先上がりにする。
スライド装置１３０Ａのスライド車１３２ａ〜ｄの径（Ｈ）は、
鈍角の階段では移動車１３３ａ〜ｄの径（Ｌ）より小さく、
鋭角の階段では移動車１３３ａ〜ｄの径（Ｌ）より大きくする。
【実施例２】
【００３９】
図５は、多様な形状の階段に対応するリフトタイプ吊り綱式階段昇降装置の全体平面図。
【００４０】
図５では、階段の上部空間に、階段の形状に従った、台車１３０Ｂを移動する為の溝型の軌道１２０Ｃ、Ｄ二本を設ける。
台車の左右の移動車１３３ｅｆは、軌道１２０Ｃ、Ｄの溝を移動する。
【００４１】
図５では、軌道１２０Ｃ、Ｄのカーブに回転機構１２０Ｒを設ける、カーブに到達した台車１３０Ｂを引き綱１４０Ｂの索引で自動的に回転機構１２０Ｒに乗せる。
引き綱１４０Ｂの索引で回転機構１２０Ｒを旋回し、自動的に続く軌道１２０Ｃ、Ｄに台車１３０Ｂを乗せ替える。
【００４２】
図５の、回転機構１２０Ｒに乗せて旋回する働きは、引き綱ガイド１４０Ｒが引き綱１４０Ｂを外側に大きく張って索引し、回転機構１２０Ｒに大きく旋回力を与える。
【００４３】
図５では、引き綱電動巻き取り装置１５０の電動機が正転作動して、巻き取り機１５０Ｖが引き綱１４０Ｂを巻き取ると、腰掛１１５ｂを吊り下げた台車１３０Ｂが軌道１２０Ｃ、Ｄを登り移動をする。
【００４４】
図５では、引き綱電動巻き取り装置１５０の電動機が逆転作動して、巻き取り機１５０Ｗが引き綱１４０Ｂを巻き取る時は、巻き取り機１５０Ｖは引き綱１４０Ｂを緩める。
巻き取り機１５０Ｖが引き綱１４０Ｂを巻き取る時は、巻き取り機１５０Ｗは引き綱１４０Ｂを緩める。
巻き取り機１５０Ｗが引き綱１４０Ｂを巻き取る時は、引き綱１４０Ｂはコーナ滑車１４０Ｃを経由する、台車１３０Ｂは降り移動をする。
図５では、軌道１２０に近接して腰掛１１５ｂの揺れ止めレール１６０を設ける、
揺れ止めの移動部１６２はレール１６０内を移動する、揺れ止めの移動部１６２と腰掛は折りたたみ式の接続板１６１で結束する。
【００４５】
図６は、リフトタイプの吊り綱式階段昇降装置の断面図です。
台車１３０の移動車１３３ｅｆが移動する軌道１２０Ｃ、Ｄは、適所で吊り金物１２０Ｔで支持される。
台車の左右の移動車１３３ｅｆは、車軸１３１ｅで結合され、車軸１３１ｅから金物１３５と四本の吊り綱１１０ｅｆｇｈで腰掛１１５ｂを吊り下げる。
移動車１３３ｅｆの外周と、軌道１２０ＣＤの溝底の接触部分に滑り止め１２５を施工する。
【００４６】
図１には、腰掛１１５ａの揺れ止め装置を図示する。
上段図は、揺れ止め装置の傾斜補正、側面図。
下段図は、揺れ止め装置の折りたたみ断面図。
腰掛１１５ａ及び１１５ｂと結合した金物１６１は，腰掛１１５ａ及び１１５ｂを支持して移動する。
腰掛１１５ａは蝶板金物１６１ｔで折りたたみ式となる。
腰掛１１５ｂはストレートに台車と結合する。
【実施例３】
【００４７】
本発明の販売の為に導入するフランチャイズ・システムは、中小小売商業振興法の特定連鎖化事業に基づくものです。
【００４８】
フランチャイズ・システムを導入する理由は、起業当初の小資本の販売対策を、短時間に広範囲に拡大する事と、意欲的なフランチャイジーを確保する為です。
【００４９】
フランチャイジーは本部がインタネットに掲載する情報を、パスワードを使って閲覧出来る。
【００５０】
本発明の昇降装置は、オーダーメイド商品です。
本部のコンピュータに、フランチャうザーとフランチャイジーの双方が情報アクセスをして、ニーズにマッチした昇降装置を選択する。
強度計算書、構造設計書、見積書等のソフト作成のシステムとプロセスを基に、ビジネスモデルを構築する。
【産業上の利用可能性】
【００５１】
本発明の、クレーンタイプの吊り綱の縦横の長さ比を変える方法は、一般家庭や工場の荷物の上げ下ろしにも広く利用出来る。
【００５２】
高齢者や、膝や腰に故障の多い身体弱者の階段昇降を確実に介助する装置である。
安全で低価格の階段昇降装置で、一般家庭でも導入出来る価格である。
【００５３】
高低差やカーブの多い長い通路に、リフトタイプの吊り綱式階段昇降装置を設置して、高齢者の歩行や車椅子の移動を介助する、往復駆動で自己完結するから連続して使用出来る。
【００５４】
リフトタイプ吊り綱階段昇降装置は、多様な形状の階段に総て対応出来る。
吊り綱式の昇降装置の付属機構は合理的で安全性が高い。
【図面の簡単な説明】
【００５５】
【図１】クレーンタイプ吊り綱式階段昇降装置の正面図
【図２】クレーンタイプ吊り綱式階段昇降装置の平面図
【図３】クレーンタイプ吊り綱式階段昇降装置のＸ−Ｘ断面図
【図４】クレーンタイプ吊り綱式階段昇降装置のＹ−Ｙ断面図
【図５】リフトタイプの吊り綱式階段昇降装置の平面図
【図６】リフトタイプ吊り綱式階段昇降装置の断面図
【符号の説明】
【００５６】
符号          説明
１００        建物構造物
１００Ｐ      クレーンタイプ昇降装置の吊り綱支持点
１０５        階段
１０６        階段の踊り場
１１０ａ      クレーンタイプ昇降装置の腰掛吊り綱、右前
１１０ｂ      クレーンタイプ昇降装置の腰掛吊り綱、左前
１１０ｃ      クレーンタイプ昇降装置の腰掛吊り綱、右後
１１０ｄ      クレーンタイプ昇降装置の腰掛吊り綱、左後
１１０ｅ      リフトタイプ昇降装置の腰掛吊り綱、右前
１１０ｆ      リフトタイプ昇降装置の腰掛吊り綱、左前
１１０ｇ      リフトタイプ昇降装置の腰掛吊り綱、右後
１１０ｈ      リフトタイプ昇降装置の腰掛吊り綱、左後
１１５ａ      クレーンタイプ昇降装置の腰掛
１１５ｂ      リフトタイプ昇降装置の腰掛
１２０Ａ      クレーンタイプ昇降装置の移動用軌道
１２０Ｂ      クレーンタイプ昇降装置の移動用軌道
１２０Ｃ      リフトタイプ昇降装置の台車移動用軌道
１２０Ｄ      リフトタイプ昇降装置の台車移動用軌道
１２０Ｇ      クレーンタイプの軌道支持金物
１２０Ｔ      リフトタイプ昇降装置の軌道支持金物
１２０Ｒ      台車を乗せて自動的に方向転換をする回転部
１２０Ｇ      回転部の回転軸
１２０Ｓ      旋回する回転部を支持する軌道
１２５        滑り止め加工（台車の外周と、軌道の溝底）
１３０Ａ      クレーンタイプ階段昇降装置本体
１３０Ｂ      リフトタイプ階段昇降装置本体
１３１ａ      クレーンタイプ昇降装置の移動車のシャフト
１３１ｂ      クレーンタイプ昇降装置の移動車のシャフト
１３１ｃ      クレーンタイプ昇降装置の前後連結板、右
１３１ｄ      クレーンタイプ昇降装置の前後連結板、左
１３１ｅ      リフトタイプ昇降装置の台車シャフト
１３２ａ      クレーンタイプ昇降装置の吊り綱スライド車、右前
１３２ｂ      クレーンタイプ昇降装置の吊り綱スライド車、左前
１３２ｃ      クレーンタイプ昇降装置の吊り綱スライド車、右後
１３２ｄ      クレーンタイプ昇降装置の吊り綱スライド車、左後
１３３ａ      クレーンタイプ昇降装置の移動車、右前
１３３ｂ      クレーンタイプ昇降装置の移動車、左前
１３３ｃ      クレーンタイプ昇降装置の移動車、右後
１３３ｄ      クレーンタイプ昇降装置の移動車、左後
１３３ｅ      リフトタイプ昇降装置の移動台車、右
１３３ｆ      リフトタイプ昇降装置の移動台車、左
１３５Ａ      リフトタイプ昇降装置の吊り綱固定金物、右
１３５Ｂ      リフトタイプ昇降装置の吊り綱固定金物、左
１４０Ａ      クレーンタイプ昇降装置を移動する引き綱
１４０Ｂ      リフトタイプ昇降装置の台車を移動する引き綱
１４０Ｒ      リフトタイプ昇降装置の引き綱の旋回ガイド
１４０Ｃ      クレーンタイプ昇降装置の引き綱のコーナー用滑車
１４０Ｄ      リフトタイプ昇降装置の引き綱のコーナー用滑車
１４０Ｍ      クレーンタイプ昇降装置の引き綱索引金物（前進用）
１４０Ｓ      クレーンタイプ昇降装置の引き綱索引金物（後進用）
１４１Ｍ      リフトタイプ昇降装置の引き綱金物  （前進、後進）
１５０        引き綱電動巻き取り装置の電動機（クレーン、リフト）
１５０Ｖ      引き綱巻き取り機  腰掛上昇時正転  （クレーン、リフト）
１５０Ｗ      引き綱巻き取り機、腰掛下降時逆転  （クレーン、リフト）
１６０        腰掛揺れ止めレール
１６１        腰掛揺れ止め結合金物、
１６１ｈ      結合金物の傾斜補正
１６１ｔ      結合金物の蝶板
１６２        腰掛揺れ止めスライド車
１６３        腰掛揺れ止め引き綱
１６４        腰掛揺れ止め引き綱電動巻き取り機
ｍ            腰掛揺れ止め装置のコーナー切り回し
【図１】
2005306601.tif 000003
【図２】
2005306601.tif 000004
【図３】
2005306601.tif 000005
【図４】
2005306601.tif 000006
【図５】
2005306601.tif 000007
【図６】
2005306601.tif 000008